(57)【要約】【課題】電気制御装置に組込まれている電子回路及びモータの冷却、換気及び熱交換の効率を高めることを目的としたペット用ボックスドライヤーの電気制御装置を提供する。【解決手段】電気制御装置１の本体ケース１ａ内の配置室に電子回路６及びフアン駆動用モータ３、送風用フアン２、ヒータ５がそれぞれ配置され、電子回路及６及びフアン駆動用モータ３の配置室に外気を取り込む吸入通風孔（Ａ）８ａが設けられ、フアン駆動用モータ３を固定するモータ取付け板７ａに吸入通風孔（Ｂ）８ｂが設けられ、送風用フアン２の吸引力を利用して外気を自動的に取り込んで電子回路６及びフアン駆動用モータ３を冷却する。【選択図】図１
2015216892.tif 000002
【特許請求の範囲】
【請求項１】
電気制御装置の側面開放部にペットを収容して乾燥する筐体の側面開放部を連結させて一体化するペット用ボックスドライヤーの電気制御装置において、
前記電気制御装置の本体ケース内の配置室に電子回路及びフアン駆動用モータ、送風用フアン、ヒータがそれぞれ配置され、
前記電子回路及びフアン駆動用モータの配置室に外気を取り込む吸入通風孔（Ａ）が設けられ、前記フアン駆動用モータを固定するモータ取付け板に吸入通風孔（Ｂ）が設けられ、
前記送風用フアンの吸引力を利用して外気を自動的に取り込んで前記電子回路及びフアン駆動用モータを冷却することを特徴とするペット用ボックスドライヤーの電気制御装置。
【請求項２】
電気制御装置の側面開放部にペットを収容して乾燥する筐体の側面開放部を連結させて一体化するペット用ボックスドライヤーの電気制御装置において、
前記電気制御装置の本体ケース内の配置室に電子回路及びフアン駆動用モータ、送風用フアン、ヒータがそれぞれ配置され、
前記電気制御装置と前記筐体の各側面開放部の間を仕切る仕切板が設けられ、前記仕切板の略中心部にフィルター付き窓が取り付けられ、前記仕切板の下方に温風吐き出し口が設けられ、前記筐体内の空気をフィルター付き窓を介して前記送風用フアンで取り込んで前記ヒータで加熱した後に前記温風吐き出し口から前記筐体内に放出して温度を上げるようにした構造を採用し、
前記ヒータの配置室に排気通風孔が設けられたことを特徴とするペット用ボックスドライヤーの電気制御装置。
【請求項３】
前記排気通風孔に排出量調整弁を備えたことを特徴とする請求項２に記載のペット用ボックスドライヤーの電気制御装置。
【請求項４】
前記ヒータの配置室の通風路側に黒色の温風ガイド板を設け、その反対側に熱線反射板を設けたことを特徴とする請求項１乃至請求項３のいずれか１項に記載のペット用ボックスドライヤーの電気制御装置。
【発明の詳細な説明】
【技術分野】
【０００１】
本発明は、ペットを収容して乾燥する筐体（乾燥室）と電気制御装置を連結させて一体化するペット用ボックスドライヤーにおいて、特に電子回路及びモータの冷却、換気及び熱交換の効率を高めるようにしたペット用ボックスドライヤーの電気制御装置に関する。
【背景技術】
【０００２】
従来のペット用ボックスドライヤーの電気制御装置部に組込まれている送風用モータは、モータの温度上昇を低減するために冷却用フアンを取り付けたり、送風用モータ軸にプロペラフアンを取り付けたり、あるいは電気制御装置部ケースの背面に換気孔を設けたりして、モータを冷却しているがコストアップになり、また冷却効果が低い（自然対流のため）などの欠点があった。
【０００３】
また、乾燥室内送り込まれた温風により、乾燥体（濡れた状態のペット）の水分が蒸発して湿度が上昇し、乾燥速度が低下するので、乾燥室扉の周辺に大きな開口部を設け乾燥室内に外気を取り込み高温高湿の空気を排出している。そのため寒冷地等の野外で使用するとき所定の温度まで上昇しなく実用に耐えなかった。また、乾燥体の離毛が作業室内に飛散する等の欠点があった。
【０００４】
また、温風送風用モータ及び制御回路からの発熱が作業室内に放出され、その室内の冷却に多くの電気量を必要とするなどの欠点があった。
【０００５】
また、ヒータからの放出される熱線処理も満足できるものではなかった。
【０００６】
一方、乾燥室に乾燥モジュールが設置されたペット用乾燥装置については、以下に示すような発明が提案されている。
【０００７】
実用新案登録第３１６６４２６号公報（特許文献１）には、シャワーを終えて収容空間に入れられたペットに対し、ペットの全身の乾燥作業が行なえ、便利で、スピーディーにペットを乾燥することを目的とし、箱体と乾燥モジュール包含し、該箱体の内部にドアを供えた収容空間があり、並びに収容空間の一側に空気を外に排出、送出する出気ダクトが設けられ、該乾燥モジュールは該箱体に取り付けられ、乾燥器具を収容する収容室を具え、該収容室の側辺に、外部空気を進入させる入気ダクトが設けられ、該乾燥器具の一側に熱エネルギーを送出する出口があり、該出口に送出方向の変換操作のためのコントロールバルブが接続され、該コントロールバルブの一側に、該箱対の外部で乾燥作業を行なうための延伸管が接続され、別側に該箱体の収容空間内に連通する導入管が設けられたこと特徴とする「ペット用乾燥装置」が提案されている。
【０００８】
しかしながら、上記のペット乾燥装置には、外気空気により送風用モータや制御回路を冷却することが開示されていない。またフィルターで離毛を取り除いた温風を排出することも開示されていない。
【０００９】
なお、本願出願人は、電気制御装置と筐体（乾燥室）をユニット化すると共に筐体をモジュール化することにより、低廉化を図り且つ簡便に組立可能なペット用ボックスドライヤーを開発し、既に特許権を取得している（特許第５４７８７６３号公報、特許文献２）
【先行技術文献】
【特許文献】
【００１０】
【特許文献１】実用新案登録第３１６６４２６号公報
【特許文献２】特許第５４７８７６３号公報
【発明の概要】
【発明が解決しようとする課題】
【００１１】
本発明は、本願出願人が鋭意検討した結果、ペット用ボックスドライヤーの電気制御装置に更なる改良を施したものであり、電気制御装置に組込まれている電子回路及びモータの冷却、換気及び熱交換の効率を高めることを目的とし、具体的には効率よいモータの冷却、モータの発熱エネルギーの再利用、作業室内への離毛飛散防止、ヒータの発熱を効率よく温風に変換、および温風排気制御などが図られ、更に製造原価の低減が図れるペット用ボックスドライヤーの電気制御装置を提供することを目的とする。
【課題を解決するための手段】
【００１２】
上記の課題を解決するために、請求項１に記載の発明は、電気制御装置の側面開放部にペットを収容して乾燥する筐体の側面開放部を連結させて一体化するペット用ボックスドライヤーの電気制御装置において、前記電気制御装置の本体ケース内の配置室に電子回路及びフアン駆動用モータ、送風用フアン、ヒータがそれぞれ配置され、前記電子回路及びフアン駆動用モータの配置室に外気を取り込む吸入通風孔（Ａ）が設けられ、前記フアン駆動用モータを固定するモータ取付け板に吸入通風孔（Ｂ）が設けられ、前記送風フアンの吸引力を利用して外気を自動的に取り込んで前記電子回路及びフアン駆動用モータを冷却することを特徴とする。
【００１３】
また、請求項２に記載の発明は、電気制御装置の側面開放部にペットを収容して乾燥する筐体の側面開放部を連結させて一体化するペット用ボックスドライヤーの電気制御装置において、前記電気制御装置の本体ケース内の配置室に電子回路及びフアン駆動用モータ、送風用フアン、ヒータがそれぞれ配置され、前記電気制御装置と前記筐体の各側面開放部の間を仕切る仕切板が設けられ、前記仕切板の略中心部にフィルター付き窓が取り付けられ、前記仕切板の下方に温風吐き出し口が設けられ、前記筐体内の空気をフィルター付き窓を介して前記送風用フアンで取り込んで前記ヒータで加熱した後に前記温風吐き出し口から前記筐体内に放出して温度を上げるようにした構造を採用し、前記ヒータの配置室に排気通風孔が設けられたことを特徴とする。
【００１４】
また、請求項３に記載の発明は、請求項２に記載の前記排気通風孔に排出量調整弁を備えたことを特徴とする。
【００１５】
また、請求項４に記載の発明は、請求項１乃至請求項３に記載の前記ヒータの配置室の通風路側に黒色の温風ガイド板を設け、その反対側に熱線反射板を設けたことを特徴とする。
【発明の効果】
【００１６】
以上のように、本発明によれば、電子回路及びモータの配置室に外気を取り込む吸入通風孔（Ａ）とモータを固定するモータ取付け板に吸入通風孔（Ｂ）が設けられているので、送風用フアンの吸引力を利用して外気より強制的に低温の空気を取り込み、電気制御装置内のモータや電子回路などを冷却するので効率よい冷却が可能となる。また、モータや電子回路からの発熱を乾燥室内の加熱に再利用することにより、省エネ対策が施されたペット用ボックスドライヤーの電気制御装置を提供できる。
【００１７】
また、筐体（乾燥室）内の空気をフィルター付き窓を介して送風用フアンで取り込んでヒータで加熱した後に温風吐き出し口から筐体内（乾燥室）に放出して温度を上げるようにした構造を備え、ヒータの配置室に排気通風孔が設けられているので、筐体（乾燥室）内を介せず電気制御装置よりヒータで過熱する前の温風の一部を排出することで、室内に離毛を飛散させないし、無駄なエネルギーも放出されない。また、電気制御装置の温風の一部を排出する排気通風孔の排出量を調整可能にしているので、筐体（乾燥室）内の温度を速く上昇させることもでき、また寒冷地等の野外使用にも耐え、またヒータの熱交換を良くする事で同様に筐体（乾燥室）内の温度を速く上昇させることも可能になる。
【図面の簡単な説明】
【００１８】
【図１】本発明の電気制御装置の一例を示す斜視図である。
【図２】本発明の筐体（乾燥室）の一例を示す分解斜視図である。
【図３】図１のフアン駆動用モータと送風用フアンを示す斜視図である。
【図４】図１の排気通風孔を示す斜視図である。
【図５】図１に示す電気制御装置の構造断面図である。
【図６】ペット用ボックスドライヤーの一例を示す完成斜視図である。
【図７】本発明の電気制御装置の内部の空気の流れを示す説明図である。
【発明を実施するための形態】
【００１９】
以下、本発明の実施の一形態について図を参酌しながら説明する。図１は電気制御装置の一例を示す斜視図、図２は筐体（乾燥室）の一例示す分解斜視図、図３はフアン駆動用モータと送風用フアンを示す斜視図、図４は排気通風孔を示す斜視図、図５は電気制御装置の構造断面図である。なお、本発明のペット用ボックスドライヤーの電気制御装置の各構成については、以下の実施例に限定されるものではなく、使用状況によって適宜変更することができる。
【００２０】
図１に示すように、電気制御装置１には、後述する筐体（乾燥室）１２内に温風を送風するための送風用フアン２、フアン駆動用モータ３、ヒータ５が組み込まれている。また、フアン駆動用モータ３の回転数や温度調整等は電子回路６で制御されている。さらに、ヒータ５の配置室には、後述するようにヒータ５が効率よく熱変換を行なうため、温黒色の風ガイド板４ａと熱線反射板４ｂを組込むことができる。
【００２１】
図１に示すように、電気制御装置１の本体ケース１ａは４個の室（配置室）に区切られていて、第１の室にはフアン駆動用モータ３と電子回路６が配置され、第２の室は送風用フアン２が配置され、第３の室には温風ガイド板４ａと反射板４ｂとヒータ５が配置され、第４の室は空気流量を調節するダンパー部７ｃが配置されている。また、第1の室には外気を取り込む吸入通風孔（Ａ）８aが設けられており、更にフアン駆動用モータ３を固定するモータ取付け板７aに吸入通風孔（Ｂ）８ｂが設けられている。さらに、第３の室は隔壁板７ｂで囲われていて上方部に排気通風孔（Ａ）９aが設けられ、第４の室には外気に排出する排気通風孔（Ｂ）９ｂ設けられている。なお、本実施例では、本体ケース１ａが４個の室（配置室）に区切られている例を説明したが、室の数はこれに限定されるものではなく、少なくとも第１〜第３の各室が配置されていればよい。即ち、第４の室（ダンパー部の配置室）については省略することが可能であり、この場合は第３の室（ヒータの配置室）に設けられた排気通風孔より外気に排気する。
【００２２】
電気制御装置１の側面開放部１ｂには、仕切り板１０がビス等で固定されている。この仕切り板１０の略中心部には、離毛を取り除くためのむフィルター付き窓１１が取り付けられている。このフィルター付き窓１１と対向した位置に送風用フアン２が配置されていることにより、排出空気が犬毛を含まず作業場の環境が改善される。また、仕切板１０の下方には、温風吐き出し口１０ａが設けられている。
【００２３】
図２に示すように、電気制御装置１の側面開放部１ａに仕切り板１０を介して連結する筐体（乾燥室）１２には、その前面にペットを出し入れするための扉１５が蝶番１３により回転自在に取り付けられている。また、電気制御装置１に連結される側面開放部１２ｂとは反対側の側面に側板１６がネジ等で取り付けられている。また、筐体（乾燥室）１２内の下面にはスノコ１４が置かれている。
【００２４】
図３に示すように、取り込んだ外気を万遍にフアン駆動用モータ３の外ケースを通るようにするために、モータ取付け板７aにフアン駆動用モータ３の外形に沿うように吸入通風孔Ｂ（８ｂ）が設けられていている。
【００２５】
図４に示すように、排気通風孔（Ｂ）９ｂは排出量調整弁１７を備えている。排出量調整弁１７を適宜回転させることにより排気通風孔（Ｂ）９ｂの開放面積を変えることで、外気温度に関係なく筐体（乾燥室）１２内の温度を制御できる。
【００２６】
図５に示すように、ヒータ５の配置室の通風路側に黒色の温風ガイド板４ａを設け、その反対側に熱線反射板５を設けることにより、熱交換の効率を上げ、短時間で所定の温度に上昇させることができる。
【００２７】
図６はペット用ボックスドライヤーの一例を示す完成斜視図である。本発明のペット用ボックスドライヤーの電気制御装置１は、筐体（乾燥室）１２と側板１６をユニット化してそれぞれネジ等の固定具により連結することにより、簡単に組立及び分解することができる。
【００２８】
図７は電気制御装置の内部の空気の流れを示す説明図である。外気空気を吸入通風孔（Ａ）８ａから取り込み、その吸入空気１００によって電子回路６を冷却し、更にフアン駆動用モータ３の外周を冷却して吸入通風孔（Ｂ）８ｂから送風用フアン２に吸い込まれる。これにより、送風用フアン２の吸引力を利用して外気より強制的に低温の空気を取り込み、電気制御装置１内のフアン駆動用モータ３や電子回路６などを冷却するので効率よい冷却が可能となる。また、フアン駆動用モータ３や電子回路６からの発熱を筐体（乾燥室）１２内の加熱に再利用することにより、省エネ対策を施すことが可能となる。
一方、フィルター付き窓１１（図１参照）から吸い込まれた空気と吸入空気１００とが混ざり、その一部が排出空気１１０となり排気通風孔（Ａ）９ａ及び排気通風孔（Ｂ）９ｂを介して本体ケース１ａの外に放出されるが、大部分は再度ヒータ５で加熱されて温風空気１２０が筐体（乾燥室）１２内に放出される。これにより、筐体（乾燥室）１２内を介せず電気制御装置１よりヒータ５で過熱する前の温風の一部を排出することで、室内に離毛を飛散させないし、無駄なエネルギーも放出されない。また、電気制御装置１の温風の一部を排出する排気通風孔（Ｂ）９ｂの排出量を調整可能にしているので、筐体（乾燥室）１２内の温度を速く上昇させることもでき、また寒冷地等の野外使用にも耐え、またヒータ５の熱交換を良くする事で同様に筐体（乾燥室）１２内の温度を速く上昇させることも可能になる。
【符号の説明】
【００２９】
１  電気制御装置
１ａ  本体ケース
１ｂ  側面開放部
２  送風用フアン
３  フアン駆動用モータ
４ａ  温風ガイド板
４ｂ  反射板
５  ヒータ
６  電子回路
７ａ  モータ取付け板
７ｂ  隔壁板
７ｃ  ダンパー部
８ａ  吸入通風孔（Ａ）
８ｂ  吸入通風孔（Ｂ）
９ａ  排気通風孔（Ａ）
９ｂ  排気通風孔（Ｂ）
１０  仕切り板
１０ａ  温風吐き出し口
１１  フィルター付き窓
１２  筐体（乾燥室）
１２ｂ  側面開放部
１３  蝶番
１４  スノコ
１５  扉
１６  側板
１７  排出量調整弁
１００  吸入空気
１１０  排出空気
１２０  温風空気
【図１】
2015216892.tif 000003
【図２】
2015216892.tif 000004
【図３】
2015216892.tif 000005
【図４】
2015216892.tif 000006
【図５】
2015216892.tif 000007
【図６】
2015216892.tif 000008
【図７】
2015216892.tif 000009
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
電気制御装置の側面開放部にペットを収容して乾燥する筐体の側面開放部を連結させて一体化するペット用ボックスドライヤーの電気制御装置において、
前記電気制御装置の本体ケース内の配置室に電子回路及びフアン駆動用モータ、送風用フアン、ヒータがそれぞれ配置され、
前記電子回路及びフアン駆動用モータの配置室に外気を取り込む吸入通風孔（Ａ）が設けられ、前記フアン駆動用モータを固定するモータ取付け板に吸入通風孔（Ｂ）が設けられ、
前記送風用フアンの吸引力を利用して外気を自動的に取り込んで前記電子回路及びフアン駆動用モータを冷却することを特徴とするペット用ボックスドライヤーの電気制御装置。
【請求項２】
請求項１に記載のペット用ボックスドライヤーの電気制御装置において、
前記電気制御装置と前記筐体の各側面開放部の間を仕切る仕切板が設けられ、前記仕切板の略中心部にフィルター付き窓が取り付けられ、前記仕切板の下方に温風吐き出し口が設けられ、前記筐体内の空気をフィルター付き窓を介して前記送風用フアンで取り込んで前記ヒータで加熱した後に前記温風吐き出し口から前記筐体内に放出して温度を上げるようにした構造を採用し、
前記ヒータの配置室に排気通風孔が設けられたことを特徴とするペット用ボックスドライヤーの電気制御装置。
【請求項３】
前記排気通風孔に排出量調整弁を備えたことを特徴とする請求項２に記載のペット用ボックスドライヤーの電気制御装置。
【請求項４】
前記ヒータの配置室の通風路側に黒色の温風ガイド板を設け、その反対側に熱線反射板を設けたことを特徴とする請求項１乃至請求項３のいずれか１項に記載のペット用ボックスドライヤーの電気制御装置。
【手続補正２】
【補正対象書類名】明細書
【補正対象項目名】００１３
【補正方法】変更
【補正の内容】
【００１３】
また、請求項２に記載の発明は、請求項１に記載のペット用ボックスドライヤーの電気制御装置において、前記電気制御装置と前記筐体の各側面開放部の間を仕切る仕切板が設けられ、前記仕切板の略中心部にフィルター付き窓が取り付けられ、前記仕切板の下方に温風吐き出し口が設けられ、前記筐体内の空気をフィルター付き窓を介して前記送風用フアンで取り込んで前記ヒータで加熱した後に前記温風吐き出し口から前記筐体内に放出して温度を上げるようにした構造を採用し、前記ヒータの配置室に排気通風孔が設けられたことを特徴とする。